(57)【要約】【課題】従来の汚泥ケーキをコンポスト化するシステムは連続運転を基本にしていたため、装置が複雑で大型になる欠点がありました。間欠運転においてはその運転方法が（時間的スケジュールや脱水のレベル等）明確でありませんでした。そのため全体の効率が悪く、製品となったコンポストの品質も一定しませんでした。【解決手段】本発明は、２個の醗酵槽をもつ汚泥処理システムを用いる。約含水率９０％程度の汚泥ケーキを一次醗酵槽で含水率５０％程度になるまで醗酵させる。それを二次醗酵槽で含水率４０％程度になるまで醗酵させ、その後自然醗酵で完熟させる。約４０日を１サイクルとする間欠的な運転を行う。以上の運転方法で汚泥ケーキを効率的にコンポスト化する。【選択図】図２
2006151782.tif 000002
【特許請求の範囲】
一次、二次の２個の醗酵槽を持つ汚泥処理システムにおいて、
１）  汚泥ケーキを一次醗酵槽に投入し、含水率約３５％以下の菌床Ａ０を生成する。
２）  Ａ０に含水率９０％程度に脱水した汚泥ケーキＢ０を投入し、その含水率が６５％程度になるまで高温度の空気を吹き込みながら攪拌する。
３）  その後含水率が５０±５％程度になるまで２４〜７２時間以上掛けて高温攪拌醗酵運転し処理物Ｃ０を作る。
４）  次の醗酵に必要な菌床量を算出し、一次醗酵槽に処理物Ｄ０として残す。
５）  Ｃ０からＤ０を差し引いたを処理物Ｅ０を、含水率５０±５％程度の状態のままで二次醗酵槽に移送する。
６）  二次醗酵槽に移送した処理物Ｅ０は処理物温度約３０℃以上、含水率約４０％以上の状態で給気させ、十分醗酵するように運転する。
７）  一次醗酵槽に残した処理物Ｄ０を含水率４０±５％程度になるまで高温攪拌醗酵させ菌床Ａ１を作る。
８）  一次醗酵槽に新たに汚泥ケーキＢ１を投入する。
９）  以上２）〜８）を約３０日間繰り返し実施する。
１０）二次醗酵槽には順次含水率４０〜５０％程度の一次醗酵処理物Ｅ１、Ｅ２、Ｅ３・・Ｅ３０が堆積される。その状態で、６）の運転を持続する。
１１）約３０日後一次醗酵槽の運転を休止する。
１２）二次醗酵槽を自然醗酵状態に保ち（必要なら加温や給気をする）約１０日間寝かせ熟成、完熟させる。
１３）運転開始から約４０日後、二次醗酵槽内の二次醗酵終了処理物を殺菌、脱臭のため約６０℃以上約６時間以上で高温乾燥させ、含水率３０％〜４０％程度のコンポストにする。
以上の運転を行い、汚泥ケーキをコンポスト化する方法。
【発明の詳細な説明】
【技術分野】
【０００１】本発明は、生活雑排水の汚水処理施設（公共下水道、特定環境保全公共下水道、合併処理浄化槽、農業集落排水等）から排出される余剰汚泥（汚泥ケーキという）をコンポスト（農業肥料の原料）化する汚泥処理システムの運転方法に関する。
【背景技術】
【０００２】汚泥処理システムに利用される醗酵槽の構造については特許登録（特許３００５４６２号など）されていますが、システムの運転方法に関するものは発見できませんでした。
【発明の開示】
【発明が解決しようとする課題】
【０００３】従来の汚泥ケーキをコンポスト化するシステムは連続運転をを基本にしていたため、装置が複雑で大型になる欠点がありました。そのシステムを運用する運転方法（時間的スケジュールや脱水のレベル等）も明確でありませんでした。
そのため全体の効率が悪く、製品となったコンポストの品質も一定しませんでした。
【課題を解決するための手段】
【０００４】本発明は、汚泥処理システムを間欠運転すると共に、その運転方法を明確に規定することです。。
図１は汚泥処理システムの構成図です。
ホッパ１は一次醗酵槽２の入り口に装着されています。一次醗酵槽２の出口はバケットコンベアー３によって二次醗酵槽４の入り口に接続されています。二次醗酵槽４の出口はバケットコンベアー５によってペレット加工機６の入り口に接続されています。ペレット加工機６の出口からペレット状の農業肥料がが生産されます。
図２は汚泥ケーキをコンポスト化するシステムの運転方法の説明図です。
解りやすくするため、各醗酵槽を二つに分けてあります。
１）  まず汚泥ケーキをホッパ１を介して一次醗酵槽２に投入します。それを一次醗酵槽２内の図示されない攪拌機と槽底部より供給される高温空気によってベース菌と混合しながら醗酵させ、含水率約３５％以下の菌床Ａ０を作ります。
２）  Ａ０に含水率９０％程度に脱水した汚泥ケーキＢ０を投入し、それが含水率６５％程度になるまで高温の空気を吹き込みながら攪拌します。
３）  その後Ａ０＋Ｂ０の含水率が５０±５％程度になるまで２４〜７２時間以上かけて３０〜８０℃の高温状態で攪拌しながら醗酵させ、処理物Ｃ０を作ります。
（水分、温度、酸素量等の醗酵諸条件を適正に保つと、４８時間内に醗酵、分解し処理物Ｃ０は投入量の約５分の１になります）
４）  次の醗酵に必要な菌床を作成するため、処理物Ｄ０を設計値より算出して一次醗酵槽２内に残します。
５）  余りの処理物Ｅ０をそのまま（含水率５０±５％程度の状態で）二次醗酵槽４にバケットコンベアー３で移送します。
６）  二次醗酵槽に移送した処理物Ｅ０は処理物温度約３０℃以上、含水率約４０％以上の状態で給気しながら熟成醗酵させます。最終的に処理物Ｅ０は投入量Ａ０の８分の１から１０分の１になります。
７）  一次醗酵槽に残した処理物Ｄ０を含水率４０±５％程度になるまで高温攪拌醗酵させ菌床Ａ１を作ります。
８）  一次醗酵槽に新たに汚泥ケーキＢ１を投入します。
９）  以上２）〜８）を約３０日間繰り返します。
１０）二次醗酵槽４には順次含水率４０〜５０％程度の一次醗酵処理物がＥ１＋Ｅ２＋Ｅ３・・＋Ｅ３０と堆積されます。その状態で、６）の運転を持続させます。
１１）約３０日後一旦一次醗酵槽２の運転を休止します。
１２）二次醗酵槽４を自然醗酵状態に保ち（必要なら加温や給気をする）約１０日間程度寝かせて熟成し、完熟させます。。
１３）運転開始から約４０日後、二次醗酵槽内４の二次醗酵終了処理物を殺菌、脱臭のため約６０℃以上約６時間以上で高温乾燥させ、含水率３０％〜４０％程度のコンポストにします。
以上汚泥ケーキをコンポストにする運転方法を説明しました。
このコンポストをペレット加工機６によって造粒加工し、ペレット状の農業肥料を生産します。
【発明の効果】
【０００５】本発明は、上記工程を行うことで含水率９０％程度の余剰汚泥を投棄や焼却せずに、完熟したコンポストに生成し、農業肥料として土壌に返還して環境汚染を守る効果があります。。又出来たコンポストは窒素３±２％、リン酸２±０．５％、カリ１±０．５％を含有する優秀な肥料になります。それにカルシウム、ミネラル、キトサン、ナトリウム等を添加すれば最高のぼかし肥料になります。。
【発明を実施するための最良の形態・実施例】
【０００６】本発明の方法は脱水機、濃縮機のどちらの設備でも使用可能です。攪拌羽送風タイプ縦攪拌醗酵機は同一機種を使用すれば、設備投資の削減、メンテナンスの効率化に最適です。
【図面の簡単な説明】
【図１】本発明に係る余剰汚泥コンポスト化システムの構成図です。
【図２】本発明に係る余剰汚泥コンポスト化システムの運転方法の説明図です。
【符号の説明】
１  ホッパー、２  一次醗酵槽、３  バケットコンベアー、４  二次醗酵槽、５  バケットコンベアー、６  ペレット加工機
【図１】
2006151782.tif 000003
【図２】
2006151782.tif 000004